(57)【要約】【課題】薄型化及び低コスト化が実現できるとともに、反射表示の表示品位を改善することが可能な液晶表示装置を提供することを目的とする。【解決手段】  互いに対向して配置された一対の間に液晶層を保持した液晶表示パネルＬＰＮと、液晶表示パネルＬＰＮの対向基板ＣＴ側の外面に設けられ単一の偏光板及び単一の位相差板を含む光学素子ＰＯＬ２と、各画素に対応して液晶表示パネルＬＰＮの内面に設けられたカラーフィルタ層３４を備え、カラーフィルタ層３４は、赤色画素ＰＸＲの反射部ＰＲに配置された第１着色樹脂ＣＦ１と、緑色画素ＰＸＧの反射部ＰＲに配置された第２着色樹脂ＣＦ２と、青色画素ＰＸＢの反射部ＰＲに配置された第３着色樹脂ＣＦ３と、赤色画素、緑色画素、及び、青色画素の反射部に共通に配置され緑色波長に透過率のピークを有する第４着色樹脂ＣＦ４を有することを特徴とする。【選択図】          図３
2007058046.tif 000002
【特許請求の範囲】
【請求項１】
互いに対向して配置された一対の基板間に液晶層を保持した液晶表示パネルと、
この液晶表示パネルが有するマトリクス状に配置された複数の画素の反射部と、
この反射部に入射する光の入射面に対応する前記液晶表示パネルの一方の外面に設けられ、単一の偏光板、及び、前記偏光板と前記液晶表示パネルとの間に配置され前記偏光板を透過した直線偏光を楕円偏光に変換する単一の位相差板、を含む光学素子と、
各画素に対応して前記液晶表示パネルの内面に設けられ、赤色画素の反射部に配置された第１着色樹脂、緑色画素の反射部に配置された第２着色樹脂、青色画素の反射部に配置された第３着色樹脂、からなるカラーフィルタ層と、
を具備し、
赤色画素、緑色画素、及び、青色画素の前記反射部に共通に配置され緑色波長に透過率のピークをもつ第４着色樹脂を有することを特徴とする液晶表示装置。
【請求項２】
前記第４着色樹脂は、５００乃至６００ｎｍの波長範囲で他の波長より高い透過率を有する着色樹脂であることを特徴とする請求項１記載の液晶表示装置。
【請求項３】
前記第４着色樹脂は、前記第２着色樹脂と同一材料によって形成されたことを特徴とする請求項１記載の液晶表示装置。
【請求項４】
前記位相差板は、進相軸及び遅相軸を透過する所定波長の光の間に１／４波長の位相差を与えることを特徴とする請求項１記載の液晶表示装置。
【発明の詳細な説明】
【技術分野】
【０００１】
この発明は、液晶表示装置に係り、特に、少なくとも外光を反射することによって画像を表示する反射部を備えた液晶表示装置に関する。
【背景技術】
【０００２】
反射部及び透過部を備えた半透過型液晶表示装置は、暗所においては、画素内の透過部を利用してバックライト光を選択的に透過することによって画像を表示する透過型液晶表示装置として機能し、明所においては、画素内の反射部を利用して外光を選択的に反射することによって画像を表示する反射型液晶表示装置として機能する。これにより、消費電力を大幅に低減することができるメリットがある。
【０００３】
カラー表示タイプの半透過型液晶表示装置は、各画素に対応してカラーフィルタ層を備えている。すなわち、このような液晶表示装置は、赤色画素の反射部及び透過部に透過光が赤色を呈する赤色樹脂を備え、緑色画素の反射部及び透過部に透過光が緑色を呈する緑色樹脂を備え、青色画素の反射部及び透過部に透過光が青色を呈する青色樹脂を備えている。
【０００４】
特に、反射部を利用して画像を表示する際には、外光が外部から液晶表示パネルに入射する際及び反射部による反射によって液晶表示パネルから外部に出射する際にカラーフィルタ層を通過する。このため、反射部を利用して表示される画像の色味が濃くなる（あるいは透過率が低くなる）。そこで、カラーフィルタ層に開口部を設け、その部分にほぼ無色の透明樹脂を埋め込むことが提案されている。しかしながら、このような構成では、反射部において白色を表示した際に、黄色味を呈するため、その改善の目的で、赤色画素及び緑色画素の開口部に透明樹脂に代えて青色樹脂を埋め込む技術が提案されている（例えば、特許文献１参照）。
【特許文献１】特開２００４−１９１６４６号公報
【発明の開示】
【発明が解決しようとする課題】
【０００５】
この発明は、上述した問題点に鑑みなされたものであって、その目的は、薄型化及び低コスト化が実現できるとともに、反射表示の表示品位を改善することが可能な液晶表示装置を提供することにある。
【課題を解決するための手段】
【０００６】
この発明の態様による液晶表示装置は、互いに対向して配置された一対の基板間に液晶層を保持した液晶表示パネルと、この液晶表示パネルが有するマトリクス状に配置された複数の画素の反射部と、この反射部に入射する光の入射面に対応する前記液晶表示パネルの一方の外面に設けられ、単一の偏光板、及び、前記偏光板と前記液晶表示パネルとの間に配置され前記偏光板を透過した直線偏光を楕円偏光に変換する単一の位相差板、を含む光学素子と、各画素に対応して前記液晶表示パネルの内面に設けられ、赤色画素の反射部に配置された第１着色樹脂、緑色画素の反射部に配置された第２着色樹脂、青色画素の反射部に配置された第３着色樹脂、からなるカラーフィルタ層と、を具備し、赤色画素、緑色画素、及び、青色画素の前記反射部に共通に配置され緑色波長に透過率のピークをもつ第４着色樹脂を有することを特徴とする。
【発明の効果】
【０００７】
この発明によれば、薄型化及び低コスト化が実現できるとともに、反射表示の表示品位を改善することが可能な液晶表示装置を提供することができる。
【発明を実施するための最良の形態】
【０００８】
以下、この発明の一実施の形態に係る液晶表示装置について図面を参照して説明する。なお、ここでは、液晶表示装置として、１画素内に外光を選択的に反射することによって画像を表示する反射部とバックライト光を選択的に透過することによって画像を表示する透過部とを有する半透過型液晶表示装置を例に説明するが、表示領域の一部に反射部が設けられた部分反射型液晶表示装置など、表示領域の少なくとも一部に反射部を備えた液晶表示装置であれば、以下に説明する実施の形態に基づき、同様の効果が得られるものである。
【０００９】
図１及び図２に示すように、液晶表示装置は、アクティブマトリクスタイプのカラー液晶表示装置であって、液晶表示パネルＬＰＮを備えている。この液晶表示パネルＬＰＮは、アレイ基板（第１基板）ＡＲと、アレイ基板ＡＲと互いに対向して配置された対向基板（第２基板）ＣＴと、これらアレイ基板ＡＲと対向基板ＣＴとの間に保持された液晶層ＬＱを備えて構成されている。
【００１０】
また、この液晶表示装置は、液晶表示パネルＬＰＮの一方の外面（すなわちアレイ基板ＡＲの液晶層ＬＱを保持する面とは反対の外面）に設けられた第１光学素子ＰＯＬ１、及び、液晶表示パネルＬＰＮの他方の外面（すなわち対向基板ＣＴの液晶層ＬＱを保持する面とは反対の外面；反射部に入射する光の入射面に対応する）に設けられた第２光学素子ＰＯＬ２を備えている。さらに、この液晶表示装置は、第１光学素子ＰＯＬ１側から液晶表示パネルＬＰＮを照明するバックライトユニットＢＬを備えている。
【００１１】
液晶表示パネルＬＰＮは、画像を表示する表示領域ＤＳＰを備えている。表示領域ＤＳＰは、ｍ×ｎ個のマトリクス状に配置された複数の画素ＰＸによって構成されている。各画素ＰＸは、外光を選択的に反射することによって画像を表示する反射部ＰＲと、バックライトユニットＢＬからのバックライト光を選択的に透過することによって画像を表示する透過部ＰＴを有している。
【００１２】
アレイ基板ＡＲは、ガラス板などの光透過性を有する絶縁基板１０を用いて形成されている。すなわち、このアレイ基板ＡＲは、表示領域ＤＳＰにおいて、画素毎に配置されたｍ×ｎ個の画素電極ＥＰ、これら画素電極ＥＰの行に沿ってそれぞれ形成されたｎ本の走査線Ｙ（Ｙ１〜Ｙｎ）、これら画素電極ＥＰの列に沿って形成されたｍ本の信号線Ｘ（Ｘ１〜Ｘｍ）、各々走査線Ｙ及び信号線Ｘの交差位置近傍に画素毎に配置されたｍ×ｎ個のスイッチング素子Ｗなどを有している。
【００１３】
ｎ本の走査線Ｙは、アレイ基板ＡＲ上または外部回路基板上に配置された走査線ドライバＹＤに接続されている。ｍ本の信号線Ｘは、アレイ基板ＡＲ上または外部回路基板上に配置された信号線ドライバＸＤに接続されている。
【００１４】
アレイ基板ＡＲにおいて、各スイッチング素子Ｗは、例えばＮチャネル薄膜トランジスタであり、絶縁基板１０上に配置されたポリシリコン半導体層１２を有している。ポリシリコン半導体層１２は、チャネル領域１２Ｃを挟んだ両側にそれぞれソース領域１２Ｓ及びドレイン領域１２Ｄを有している。このポリシリコン半導体層１２は、ゲート絶縁膜１４によって覆われている。
【００１５】
薄膜トランジスタＷのゲート電極ＷＧは、走査線Ｙに接続されている（あるいは走査線Ｙと一体的に形成されている）。ゲート電極ＷＧ及び走査線Ｙは、ともにゲート絶縁膜１４上に形成されている。これらゲート電極ＷＧ、及び、走査線Ｙは、層間絶縁膜１６によって覆われている。
【００１６】
薄膜トランジスタＷのソース電極ＷＳ及びドレイン電極ＷＤは、層間絶縁膜１６上においてゲート電極ＷＧの両側に配置されている。ソース電極ＷＳは、信号線Ｘに接続される（あるいは信号線Ｘと一体的に形成される）とともに、ポリシリコン半導体層１２のソース領域１２Ｓにコンタクトしている。ドレイン電極ＷＤは、画素電極ＥＰに接続されるとともに、ポリシリコン半導体層１２のドレイン領域１２Ｄにコンタクトしている。これらソース電極ＷＳ、ドレイン電極ＷＤ、及び、信号線Ｘは、有機絶縁膜１８によって覆われている。
【００１７】
画素電極ＥＰは、反射部ＰＲに対応して設けられた反射電極ＥＰＲ及び透過部ＰＴに対応して設けられた透過電極ＥＰＴを有している。反射電極ＥＰＲは、有機絶縁膜１８上に配置され、ドレイン電極ＷＤと電気的に接続されている。この反射電極ＥＰＲは、アルミニウムなどの光反射性を有する金属膜によって形成されている。透過電極ＥＰＴは、層間絶縁膜１６上に配置され、反射電極ＥＰＲと電気的に接続されている。この透過電極ＥＰＴは、インジウム・ティン・オキサイド（ＩＴＯ）などの光透過性を有する金属膜によって形成されている。すべての画素ＰＸに対応した画素電極ＥＰは、配向膜２０によって覆われている。
【００１８】
一方、対向基板ＣＴは、ガラス板などの光透過性を有する絶縁基板３０を用いて形成されている。すなわち、この対向基板ＣＴは、表示領域ＤＳＰにおいて、対向電極ＥＴなどを備えている。対向電極ＥＴは、すべての画素ＰＸに対応して画素電極ＥＰに対向するように配置されている。この対向電極ＥＴは、インジウム・ティン・オキサイド（ＩＴＯ）などの光透過性を有する金属膜によって形成されている。また、この対向電極ＥＴは、配向膜３６によって覆われている。
【００１９】
このような対向基板ＣＴと、上述したようなアレイ基板ＡＲとをそれぞれの配向膜２０及び３６を対向して配置したとき、両者の間に配置された図示しないスペーサにより、所定のギャップが形成される。すなわち、反射部ＰＲには、透過部ＰＴのほぼ半分程度のギャップが形成される。
【００２０】
液晶層ＬＱは、これらアレイ基板ＡＲの配向膜２０と対向基板ＣＴの配向膜３６との間に形成されたギャップに封入された液晶分子を含む液晶組成物で構成されている。
【００２１】
第１光学素子ＰＯＬ１及び第２光学素子ＰＯＬ２は、これらを通過した光の偏光状態を制御する。すなわち、第１光学素子ＰＯＬ１は、液晶層ＬＱに楕円偏光の偏光状態を有する光が入射するように自身を通過する光の偏光状態を制御する。したがって、第１光学素子ＰＯＬ１に入射したバックライト光の偏光状態は、第１光学素子ＰＯＬ１を通過した際に楕円偏光に変換される。その後、第１光学素子ＰＯＬ１を通過したバックライト光は、楕円偏光の偏光状態を保って液晶層ＬＱに入射する。
【００２２】
また、第２光学素子ＰＯＬ２も同様に、液晶層ＬＱに楕円偏光の偏光状態を有する光が入射するように自身を通過する光の偏光状態を制御する。したがって、第２光学素子ＰＯＬ２に入射した外光の偏光状態は、第２光学素子ＰＯＬ１を通過した際に楕円偏光に変換される。その後、第２光学素子ＰＯＬ２を通過した外光は、楕円偏光の偏光状態を保って液晶層ＬＱに入射する。
【００２３】
第１光学素子ＰＯＬ１は、第１偏光板５１と、第１偏光板５１と液晶表示パネルＬＰＮとの間に配置された第１位相差板５２と、を備えている。第２光学素子ＰＯＬ２は、第２偏光板６１と、第２偏光板６１と液晶表示パネルＬＰＮとの間に配置された第２位相差板６２と、を備えている。
【００２４】
第１偏光板５１及び第２偏光板６１は、光の進行方向に直交する平面内において、互いに直交する吸収軸及び透過軸を有している。これらの第１偏光板５１及び第２偏光板６１は、ランダムな方向の振動面を有する光から、透過軸と平行な１方向の振動面を有する光すなわち直線偏光の偏光状態を有する光を取り出すものである。
【００２５】
第１位相差板５２は、第１偏光板５１を透過した直線偏光を楕円偏光に変換する。また、第２位相差板６２は、第２偏光板６１を透過した直線偏光を楕円偏光に変換する。
【００２６】
すなわち、第１位相差板５２及び第２位相差板６２は、互いに直交する遅相軸及び進相軸を有している。遅相軸は、複屈折を議論する上で、相対的に屈折率の大きな軸に対応し、進相軸は、相対的に屈折率の小さな軸に対応する。遅相軸は、異常光線の振動面と一致するものとする。進相軸は、常光線の振動面と一致するものとする。常光線及び異常光線の屈折率をそれぞれｎｏ及びｎｅとし、それぞれの光線の進行方向に沿った位相差板の厚さをｄとしたとき、位相差板のリタデーション値Δｎ・ｄ（ｎｍ）は、（ｎｅ・ｄ−ｎｏ・ｄ）で定義される（つまり、Δｎ＝ｎｅ−ｎｏ）。
【００２７】
第１位相差板５２及び第２位相差板６２は、進相軸及び遅相軸を透過する所定波長の光の間に１／４波長の位相差を与える機能を有したいわゆる１／４波長板である。つまり、第１位相差板５２は、面内において、その遅相軸が第１偏光板５１の吸収軸（または透過軸）に対して所定の角度（鋭角）を形成するように配置することにより、第１偏光板５１を透過した直線偏光を所定の楕円率（＝短軸方向の振幅／長軸方向の振幅）を有する楕円偏光に変換する機能を有している。同様に、第２位相差板６２は、面内において、その遅相軸が第２偏光板６１の吸収軸（または透過軸）に対して所定の角度（鋭角）を形成するように配置することにより、第２偏光板６１を透過した直線偏光を所定の楕円率を有する楕円偏光に変換する機能を有している。
【００２８】
一般に、位相差板を構成する複屈折材料は、常光線に対する屈折率ｎｏ及び異常光線に対する屈折率ｎｅが光の波長に依存する特性を有している。このため、位相差板のリタデーション値Δｎ・ｄは、通過する光の波長に依存することになる。このため、カラー表示に利用されるすべての波長範囲において、所定のリタデーションを付与して円偏光を形成するためには、少なくとも２種類の位相差板（１／２波長板及び１／４波長板）を組み合わせ、位相差板のリタデーション値の波長依存性を緩和している。
【００２９】
これに対して、この実施の形態では、単一の偏光板５１と単一の位相差板５２とを組み合わせた第１光学素子ＰＯＬ１を構成し、また、単一の偏光板６１と単一の位相差板６２とを組み合わせた第２光学素子ＰＯＬ２を構成し、偏光板の吸収軸と位相差板の遅相軸とのなす角度を最適化することにより、入射光の波長にかかわらずほぼ一定の楕円率を有する楕円偏光を形成するように構成している。ここでは、その最適化条件として、第１光学素子ＰＯＬ１については、第１偏光板５１の吸収軸と第１位相差板５２の遅相軸との成す鋭角の角度θは、２５度以上７０度以下の範囲に設定される。また、第２光学素子ＰＯＬ２についても同様に、第２偏光板６１の吸収軸と第２位相差板６２の遅相軸との成す鋭角の角度θは、２５度以上７０度以下の範囲に設定される。
【００３０】
このように、偏光板の吸収軸と位相差板の遅相軸との成す鋭角の角度を上述した範囲に設定することにより、カラー表示に利用されるすべての波長範囲例えば４５０ｎｍ乃至６５０ｎｍの波長範囲の光に対して、所定範囲の楕円率の偏光状態を形成することができ、ほぼ均一な楕円率の楕円偏光を利用することができる。つまり、複数の位相差板すなわち１／２波長板及び１／４波長板を組み合せることなく、単一の位相差板（１／４波長板）におけるリタデーション値の波長依存性による光学特性の劣化も防止することが可能となる。このため、複数の位相差板を積層した構造の光学素子と比較して全体の厚みを薄くすることができる。また、このような光学素子を備えた液晶表示装置全体の薄型化も可能となる。さらに、光学素子の構成を簡素化できるため、低コスト化も可能となる。
【００３１】
ところで、カラー表示タイプの液晶表示装置は、各画素に対応して液晶表示パネルＬＰＮの内面に設けられたカラーフィルタ層３４を備えている。図２及び図３に示した例では、カラーフィルタ層３４は、対向基板ＣＴに設けられている。カラーフィルタ層３４は、互いに異なる色、例えば赤色、青色、緑色といった３原色にそれぞれ着色された着色樹脂によって形成されている。
【００３２】
すなわち、図３に示すように、カラーフィルタ層３４は、赤色画素ＰＸＲの反射部ＰＲ及び透過部ＰＴに配置された第１着色樹脂ＣＦ１と、緑色画素ＰＸＧの反射部ＰＲ及び透過部ＰＴに配置された第２着色樹脂ＣＦ２と、青色画素ＰＸＢの反射部ＰＲ及び透過部ＰＴに配置された第３着色樹脂ＣＦ３と、を有している。なお、図３では、カラーフィルタ層３４以外の構成は省略している。第１着色樹脂ＣＦ１は、その透過光が主に赤色を呈する赤色樹脂である。第２着色樹脂ＣＦ２は、その透過光が主に緑色を呈する緑色樹脂である。第３着色樹脂ＣＦ３は、その透過光が主に青色を呈する青色樹脂である。
【００３３】
上述した反射部ＰＲを備えたカラー表示タイプの液晶表示装置においては、反射部ＰＲを利用して画像を表示した際、特に黒色を表示した際に、赤青色に着色するといった課題がある。これは、外光の入射面側に配置された第２光学素子ＰＯＬ２を単一の偏光板６１及び単一の位相差板６２によって構成したことに起因する。すなわち、位相差板６２は、その透過率が通過する光の波長に依存する特性を有しており、特に、ここで適用した位相差板６２は、赤色波長及び青色波長の光の透過率が緑色波長の光の透過率より相対的に高い特性を有している。
【００３４】
通常、単一の偏光板、及び、少なくとも２枚の位相差板（単一のλ／２波長板とλ／４波長板との組み合わせ）によって構成した光学素子では、それぞれの位相差板の透過率の波長依存性を緩和するように構成されている。このような２枚の位相差板を備えた光学素子を対向基板側の外面に配置した液晶表示パネルにおいて（２枚位相差板構成）、反射部ＰＲを利用して黒色を表示した際の波長に対する透過率は、例えば図４のＴ１で示すような分布となり、カラー表示に利用されるすべての波長範囲においてほぼ一定である。
【００３５】
これに対して、本実施形態では、薄型化及び低コスト化の課題を達成するために、光学素子は、単一の位相差板と単一の位相差板とを組み合わせて構成している（１枚位相差板構成）。このような単一の位相差板を備えた光学素子を対向基板側の外面に配置した液晶表示パネルにおいて、反射部ＰＲを利用して黒色を表示した際の波長に対する透過率は、例えば図４のＴ２で示すように、赤色波長及び青色波長での透過率が緑色波長での透過率より相対的に高くなるような分布となる。このため、位相差板の透過率の波長依存性の影響により、黒色が赤青色に着色する。
【００３６】
このような現象は、赤色、緑色、青色の３原色を単色表示した際にも現れる。例えば、赤色の単色表示の場合、第１着色樹脂ＣＦ１を備えた赤色画素ＰＸＲの反射部ＰＲにおいて外光を反射して表示に寄与するように液晶層ＬＱが変調されるとともに、第２着色樹脂ＣＦ２を備えた緑色画素ＰＸＧ及び第３着色樹脂ＣＦ３を備えた青色画素ＰＸＢの反射部ＰＲでは黒色を表示するように液晶層ＬＱが変調される。このとき、緑色画素ＰＸＧ及び青色画素ＰＸＢにおいて、黒色が赤青色に着色するため、結果として得られる赤色の色バランスが劣化する。同様に、緑色及び青色の単色表示の場合にも、黒色の着色に起因して色バランスが劣化する。
【００３７】
このため、反射部ＰＲを利用して画像を表示した場合に１枚位相差板構成の液晶表示パネルで得られる色度は、図５に示すように、２枚位相差板構成の液晶表示パネルで得られた色度と比較して、全体的に赤青色方向にシフトしてしまう。つまり、反射部ＰＲを利用してカラー画像を表示した際の色バランスが乱れやすく、所望の表示品位が得られないおそれがある。
【００３８】
そこで、この実施の形態では、カラーフィルタ層３４は、赤色画素ＰＸＲ、緑色画素ＰＸＧ、及び、青色画素ＰＸＢの反射部ＰＲに対応して共通に配置された第４着色樹脂ＣＦ４を有している。この第４着色樹脂ＣＦ４は、緑色波長に透過率のピークを有するものである。つまり、第４着色樹脂ＣＦ４は、５００ｎｍ〜６００ｎｍの波長範囲で他の波長より高い透過率を有しており、望ましくは５５０ｎｍの波長に透過率のピークを有している。
【００３９】
この第４着色樹脂ＣＦ４としては、当然のことながら、その透過光が緑色を呈する。緑色を呈する第４着色樹脂ＣＦ４は、例えば図６に示すように、その分光透過率分布において緑色波長付近に透過率のピークを有し、他の波長範囲（例えば４００ｎｍ〜４７０ｎｍの青色波長範囲や、６００ｎｍ〜７００ｎｍの赤色波長範囲）付近での透過率が相対的に低いような材料で形成される。
【００４０】
つまり、この実施の形態においては、赤色画素ＰＸＲについて、透過部ＰＴには赤色を呈する第１着色樹脂ＣＦ１のみが配置され、反射部ＰＲには第１着色樹脂ＣＦ１の他に第４着色樹脂ＣＦ４が配置されている。また、緑色画素ＰＸＧについて、透過部ＰＴには緑色を呈する第２着色樹脂ＣＦ２のみが配置され、反射部ＰＲには第２着色樹脂ＣＦ２の他に第４着色樹脂ＣＦ４が配置されている。さらに、青色画素ＰＸＢについて、透過部ＰＴには青色を呈する第３着色樹脂ＣＦ３のみが配置され、反射部ＰＲには第３着色樹脂ＣＦ３の他に第４着色樹脂ＣＦ４が配置されている。
【００４１】
要するに、各色画素ＰＸ（Ｒ、Ｇ、Ｂ）の反射部ＰＲについては、透過部ＰＴのように対応する色の着色樹脂ＣＦ１、ＣＦ２、ＣＦ３を反射部ＰＲの全体に配置するのではなく、反射部ＰＲの一部に配置している。
【００４２】
これにより、反射部ＰＲを利用して画像を表示した際、第２光学素子ＰＯＬ２を構成する第２位相差板６２の透過率の波長依存性による赤青色の色づきに加えて、第４着色樹脂ＣＦ４による緑色の色づきにより、シフトしていた色度を補正することが可能となり、色バランスを改善することが可能となる。
【００４３】
この実施の形態によれば、１枚位相差板構成の光学素子と第４着色樹脂ＣＦ４との組み合わせにより、反射部ＰＲを利用して画像を表示した場合に液晶表示パネルで得られる色度は、図５に示すように、２枚位相差板構成の液晶表示パネルで得られた色度とほぼ同等に近づけることが可能となり、良好な色バランスを得られることが確認できた。
【００４４】
以上説明したように、上述した実施の形態によれば、液晶表示パネルに少なくとも反射部を備え液晶表示装置であって、反射部に入射する光の入射面に対応する側に、単一の偏光板と単一の位相差板とを組み合わせた光学素子を備えた構成により、偏光板の吸収軸と位相差板の遅相軸とのなす角度を最適化することにより、位相差板におけるリタデーション値の波長依存性による光学特性の劣化を防止することが可能となり、また、光学素子の構成の簡素化により、薄型化及び低コスト化が可能となる。
【００４５】
また、この液晶表示装置において、赤色画素、緑色画素、及び、青色画素の反射部にそれぞれ対応する色の着色樹脂の他に緑色波長に透過率のピークを有する第４着色樹脂を配置したことにより、位相差板における透過率の波長依存性による、反射部を利用して表示される画像の表示品位の劣化を防止することが可能となる。
【００４６】
つまり、この実施の形態によれば、光学素子に備えられる位相差板を単一化したことによるリタデーション値の波長依存性及び透過率の波長依存性による表示性能の劣化を防止することが可能となり、薄型化及び低コスト化が実現できるとともに、反射表示の表示品位を改善することが可能となる。
【００４７】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００４８】
例えば、第４着色樹脂ＣＦ４は、緑色画素ＰＸＧに配置される第２着色樹脂ＣＦ２と同一材料によって形成しても良い。この場合、４種類の着色樹脂材料を用いてカラーフィルタ層３４を形成するプロセスより簡素化され、製造コストを低減できるとともに製造歩留まりを改善することが可能となる。
【図面の簡単な説明】
【００４９】
【図１】図１は、この発明の一実施の形態に係る液晶表示装置の構成を概略的に示す図である。
【図２】図２は、図１に示した液晶表示装置の断面構造を概略的に示す図である。
【図３】図３は、図２に示した液晶表示パネルに適用されるカラーフィルタ層の構成を概略的に示す図である。
【図４】図４は、２枚位相差板構成、及び、１枚位相差板構成に係る液晶表示パネルにおいて、分光透過率特性を説明するための図である。
【図５】図５は、２枚位相差板構成、１枚位相差板構成、及び、この実施の形態に係る液晶表示パネルにおいて、反射部を利用して画像を表示した際の色度特性を説明するための図である。
【図６】図６は、図３に示したカラーフィルタ層のうち、第４着色樹脂として適用可能な材料の分光透過率分布の一例を示す図である。
【符号の説明】
【００５０】
ＬＰＮ…液晶表示パネル、ＡＲ…アレイ基板、ＣＴ…対向基板、ＬＱ…液晶層、ＢＬ…バックライトユニット、ＤＳＰ…表示領域、ＰＸ（Ｒ、Ｇ、Ｂ）…画素、ＰＲ…反射部、ＰＴ…透過部、ＥＰ…画素電極、Ｙ…走査線、Ｘ…信号線、Ｗ…スイッチング素子、ＥＴ…対向電極、ＰＯＬ１…第１光学素子、ＰＯＬ２…第２光学素子、ＣＦ１…第１着色樹脂、ＣＦ２…第２着色樹脂、ＣＦ３…第３着色樹脂、ＣＦ４…第４着色樹脂、３４…カラーフィルタ層
【図１】
2007058046.tif 000003
【図２】
2007058046.tif 000004
【図３】
2007058046.tif 000005
【図４】
2007058046.tif 000006
【図５】
2007058046.tif 000007
【図６】
2007058046.tif 000008